(57)【要約】読み出し装置による光ディスク構造について開示している。光ディスク構造は、記録された第１コンテンツを有する第１層を有する。第２層は第１層と結合されている。第２層は記録された第１コンテンツ及び第２コンテンツを有する。本発明のディスクは、ＤＶＤ９ディスクの２つのデータ層の第２層におけるプログラム領域及び必要なリードアウト領域の終端の後に、フル容量に満たないＤＶＤ９ディスクが有効な記録空間を残していることを利用する。
2010510614.tif 000002
【特許請求の範囲】
【請求項１】
読み出し装置による再生のための光ディスク構造であって：
少なくとも１つの層であって、該少なくとも１つの層は記録された第１コンテンツ及び第２コンテンツを有し、前記第１コンテンツ及び第２コンテンツは第１方向及び第２方向のそれぞれに沿って記録される、少なくとも１つの層；
を有する光ディスク構造。
【請求項２】
請求項１に記載の光ディスク構造であって、前記第１方向は前記第２方向と逆である、光ディスク構造。
【請求項３】
読み出し装置による再生のための光ディスク構造であって：
第２層に結合した第１層であって、前記第１層及び前記第２層の一は、第１方向及び第２方向に沿って記録された第１コンテンツ及び第２位コンテンツを有する；
光ディスク構造。
【請求項４】
請求項３に記載の光ディスク構造であって、前記第１コンテンツは前記第１層の第１方向に沿って記録される、光ディスク構造。
【請求項５】
請求項４に記載の光ディスク構造であって、前記第１コンテンツは前記第２層の第１方向に沿って記録される、光ディスク構造。
【請求項６】
請求項５に記載の光ディスク構造であって、前記第１層の前記第１方向は前記第２層の前記第１方向と逆である、光ディスク構造。
【請求項７】
請求項３に記載の光ディスク構造であって、前記第２コンテンツは前記第２層の前記第２方向に沿って記録される、光ディスク構造。
【請求項８】
請求項７に記載の光ディスク構造であって、前記第２層の前記第１方向は前記第２層の前記第２方向と逆である、光ディスク構造。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）のような光記憶装置に関する。
【背景技術】
【０００２】
ＤＶＤディスクは、ディスクの一方側又は両側から読み出し可能な１つ又は２つのデータ層を特徴とする。所定のＤＶＤディスクの大部分は２つのデータ層を特徴とし、データ層が一方側（ＤＶＤ５）又は両側（ＤＶＤ１０）から単独に読み出される単独の層のディスク、及び２つのデータ層がディスクの一方側から読み出される２層のディスク（ＤＶＤ９）がある。
【０００３】
図１を参照するに、ＤＶＤ５型のディスクの断面を示している。そのようなディスクについては、ＤＶＤデータは、リードインデータ１０と共にデータ層０の一部１１に記録され、リードアウトデータ１２はそのデータ層の両端に記録される。ＤＶＤ９型ディスクの断面を図２に示している。ＤＶＤ９型ディスクについては、ＤＶＤデータは、データ層０及びデータ層１の一部２１に記録される。リードインデータ２０はデータ層０に記録され、リードアウトデータ２２はデータ層１に記録される。
【０００４】
ＤＶＤ９型ディスクは、代表的には、ディスクのコンテンツ又は記述のテーブルとしての役割を果たすディスクの“制御テータ”により記述されている１つのボリューム又はタイトルを特徴とする。ＤＶＤ１０ディスクは、２つの別個のディスクボリュームが１つのディスクにおいて生成されるようになっていて、各々のディスクボリュームは、ドライブにおいてディスクを回転させることにより別個に且つ不連続的に読み出し可能である。しかしながら、単独層のディスクは、片側当たり４．７ＧＢに制限されている。パブリッシャは、トータルで８．５ＧＢより小さいが、それらのボリュームの１つが４．７ＧＢより大きいディスクに２つのボリューム又はタイトルを記録することを望まれる場合に、現在のＤＶＤ技術はこれに適応することができない。
【発明の概要】
【発明が解決しようとする課題】
【０００５】
本発明のディスクは、一方側に予め記録された２層ＤＶＤディスク（ＤＶＤ９）としての役割を果たすがまた、ＤＶＤプレーヤ／ドライブによりディスクの両側から読み出されることが可能である両側に予め記録されたＤＶＤディスクとして機能する。本発明は、読み出し装置による再生のための光ディスク構造を提供する。
【課題を解決するための手段】
【０００６】
その光ディスク構造は、光ディスク構造に記録された第１コンテンツを有する第１層を有する。第２層は第１層に結合される。第２層は、その第２層に記録された第１コンテンツ及び第２コンテンツを有する。本発明のディスクは、フル容量に満たないＤＶＤ９型ディスクがＤＶＤ９型ディスクの２つのデータ層の第２層におけるプログラム領域及び必要なリードアウト領域の終端の後に有効な記録空間を残しているということを利用する。
【図面の簡単な説明】
【０００７】
【図１】従来技術に従ったＤＶＤ５型ディスクの断面図である。
【図２】従来技術に従ったＤＶＤ９型ディスクの断面図である。
【図３】本発明の例示としての実施形態に従って、両側に予め記録されたＤＶＤとして機能する一方側に予め記録された２層ＤＶＤの断面図である。
【発明を実施するための形態】
【０００８】
本発明のディスクは、単独側に予め記録された２層ＤＶＤディスク（ＤＶＤ９）としての役割を果たすがまた、ＤＶＤプレーヤ／ドライブによりディスクの両側から読み出されることが可能である両面に予め記録されたＤＶＤとして機能する。本発明のディスクは、フル容量に満たないＤＶＤ９型ディスクがＤＶＤ９型ディスクの２つのデータ層の第２層におけるプログラム領域及び必要なリードアウト領域の終端の後に有効な記録空間を残しているということを利用する。
【０００９】
ＤＶＤ９型ディスク構造は、共に結合された２つの同様なプラスチック基板に記録された２つのデータ層を有する。ＤＶＤ仕様においては、典型的には、それらの２つのデータ層をレイヤ０及びレイヤ１（図２）と呼ぶ。レイヤ０は、第１データ層であり、ＤＶＤ仕様においては読み出し装置における読み出し層に最近接の層である。予め記録されたＤＶＤディスクは、典型的には、レーザビームレコーダ（ＬＢＲ）を用いて、溝のないフォトレジスト付きガラスマスターに記録される。ガラス基板におけるフォトレジストに記録された画像は、その場合、電鋳によりニッケルディスクに転写され、そのディスク画像のレプリカが、ニッケルディスクマスターからポリカーボネートに射出成型される。
【００１０】
予め記録されたＤＶＤ９型ディスクは、２つの方法、即ち、オポジットトラックパス（ＯＴＰ：Ｏｐｐｏｓｉｔｅ  Ｔｒａｃｋ  Ｐａｔｈ）及びパラレルトラックパス（ＰＴＰ：Ｐａｒａｌｌｅｌ  Ｔｒａｃｋ  Ｐａｔｈ）の一におけるガラスマスターとして記録される。ＯＴＰディスクの場合、レイヤ０は内径から外径の方に記録され、レイヤ１は外径から内径の方に記録される（図２）。フォーマットにより許容される８．４ＧＢのフルデザイン容量に満たない容量を必要とするＯＴＰ  ＤＶＤ９型ディスクは、記録がディスクの内径に達する前に、レイヤ１においてプログラム領域を終え、その場合、指定された０．５ｍｍの半径のリードアウトデータを必要とする。実際には、リードアウトデータ２２は、その記録を完了するようにディスクの内径まで継続される。
【００１１】
本発明のディスクを用いる場合、ＤＶＤ９型ＯＴＰの記録は、少なくとも０．５ｍｍのリードアウトデータがレイヤ１に記録された後に終了し、残りの記録領域はブランクのまま残される。残りの記録領域は、その場合、内径から始まる標準的な単独の層のＤＶＤ記録を実行するように用いられ、記録セッションを“遷移点”と称せられる、終了するＤＶＤ９型ＯＴＰレイヤ１を同じ半径において終わらせるように演算される。この処理は、記録装置、代表的には、レーザビームレコーダの正確な制御、及び記録処理を制御する特別に開発された技術を必要とする。ガラスマスターの記録の後の後続のディスク製造操作は影響しない。
【００１２】
本発明のディスクは、ＤＶＤ−Ｒ型ディスクにおいて複製可能でない、予め記録されたＤＶＤディスクの特徴を生成する。この本発明のディスクは、２層のＤＶＤ９型ディスクのボリューム及び単独層のＤＶＤ５型ディスクのボリュームの両方を有する単独のディスクを更に生成する。両側からディスクを読み出すことによりアクセス可能なディスクにおける２つの別個のボリューム又はタイトルは、単独層の両面ディスクに予め限定された、そして予め記録されたＤＶＤアプリケーションを支配する、より大きい２層ＤＶＤディスクフォーマットについては有効でない、種々のセキュリティ及びアクセシビリティの有利点を提供する。
【００１３】
ＤＶＤディスクの種々のデータ層を記録するように用いられるレーザビーム記録（ＬＢＲ）装置は、代表的には、記録処理を精巧に操作することが可能であるプログラム可能システムにより制御される。データ信号はデータフォーマッタにより供給され、ガラスマスターディスクの回転及び径方向平行移動は、ディスクの好ましい位置に対してフォーマッタのデータ出力を同期化するＬＢＲシステム制御器により制御される。従来の光ディスクフォーマットは、“マルチセッション”記録技術を特徴とし、その“マルチセッション”記録技術においては、ガラスマスターのデータ面は２つ以上のセッションにおいて記録される、又はその記録の性質は、外観上は連続的な溝／記録トラックが一連の制御された且つフォーマットされたバンドを効果的に構成するように、ディスクの１つ又はそれ以上の点において変化される。このことは、プログラム領域の開始に先行して内径において光ディスクに視認可能な人間読み出し可能標識を記録する一般的な方法であり、その方法はまた、図１及び２に示しているように、ＬＢＲの利用を改善する“高速リードアウト”を記録するように用いられる。
【００１４】
本発明のディスクにおいては、図３に示され、減少された容量のレイヤ１の２層記録２１を維持する同じデータ面に単独層のＤＶＤボリューム３１を記録する“バンド記録”技術を用いている。重要な違いは、図３に示す本発明のディスクは、ディスク面において異なる並進方向に及び異なるディスク回転方向に単独層セッション及び２層セッションが記録される点で、バンド記録処理に対してより実質的な変化を必要とすることである。
【００１５】
この本発明のディスクは、リードインデータ３３及びリードアウトデータ３２と共に、記録されたデータ層の有効な空間に減少した容量の単独層のＤＶＤ５データ画像３１の記録を可能にするように最小化された第２（レイヤ１）リードアウトデータ２２と共にＯＴＰフォーマットで記録された減少した容量の２層ＤＶＤ９ディスクを有する。
【００１６】
ディスクフォーマットは、ＤＶＤ９ディスクの第２層が結合した最大容量が約４．０ＧＢであるＤＶＤ５画像を有する“共有空間”を特徴とするように限定されることを必要とする。
【００１７】
そのようなディスクの製造は、ガラスマスターステージ又はディスク記録ステージに限定された材料変更を必要とする。後続の電鋳処理、射出成型処理及び仕上げ処理は影響しない。仕上げられたディスクのラベル印刷は、半径約２１ｍｍからプログラムの終了を越えた半径方向１ｍｍまでバンドにおいて広げられたＤＶＤ５画像データを有するＤＶＤ９ディスクの上面のバンドを十分に露光するようにデザインされる必要がある。
【００１８】
ガラスマスター記録処理は次のように処理される。
ＤＶＤ９レイヤ０データ層記録は通常通り処理される。
ＤＶＤ９レイヤ１記録は、プログラム領域の終了まで、通常通り処理される。ＬＢＲフォーマッタ又はシステム制御器は、リードアウトの所定のバンドが記録された後、記録を終了するようにプログラムされる。
ＬＢＲフォーマッタは、その場合、単独層ＤＶＤ５画像をロードする必要がある。
ＬＢＲシステム制御器は、ターンテーブルの回転方向を反転し、ガラスマスターの内径において単独層のＤＶＤ５画像を記録する準備をする。
【００１９】
単独層のＤＶＤ記録は、通常通り処理され、先行するＤＶＤ９データ画像の終了と一致するように所定の半径で終了される。この記録処理の細かな制御は、２つの記録間の継ぎ目のない視覚的遷移を得ることができる。
【００２０】
本発明のディスクにおいては、記録可能なＤＶＤディスクを用いて、偽造防止の試みを妨げることに関連するセキュリティアプリケーションを有する。広範に、偽造プロダクトは標準的な記録可能媒体に製造され、上記のような本発明のディスクにおけるディスクは単独の認証された予め記録されたディスクに対して２つの記録可能ディスクに記録される必要があるということを、パブリッシャは用いることが可能である。
【００２１】
予め記録されたディスクに適用されるとき、図３のディスクと関連する原理は、市販されている記録可能なディスクに適用することはできない。ソフトウェアアプリケーションパブリッシャは、上記の本発明のディスクにおけるディスクの反対側から読み出し可能な別個のディスクボリュームのみからアクセス可能な重要なセキュリティ情報でＤＶＤ９データ画像を補うようにそのディスクの両面の性質を用いることが可能である。
【図１】
2010510614.tif 000003
【図２】
2010510614.tif 000004
【図３】
2010510614.tif 000005
【国際調査報告】
2010510614.tif 000006
2010510614.tif 000007
2010510614.tif 000008